(57)【要約】イメージディスプレイは、表示面（９０）で表示できる電気駆動画素アレイ（６０）を有するイメージディスプレイ装置と；空間的輝度フィルタ（１２２，１２４）をイメージディスプレイ装置に適用するためにイメージディスプレイ装置に配備された輝度補正手段（１１０）と；を備え、空間輝度フィルタは、各画素が所定の入力電気駆動信号に対して実質的に同じ輝度を示すように、画素の輝度応答特性に対して実質的に反比例してイメージディスプレイ装置の各画素によって出力された光を減衰する。
2005517209.tif 000002
【特許請求の範囲】
【請求項１】
表示面で表示可能な電気駆動画素アレイを有するイメージディスプレイ装置と；
空間的輝度フィルタをイメージディスプレイ装置に適用するようにイメージディスプレイ装置に配備された光学的輝度補正手段と；を備え、
空間輝度フィルタは、各画素が所定の入力電気駆動信号に対して同じ輝度を示すように、画素の輝度応答特性に反比例して、イメージディスプレイ装置の各画素によって出力された光を減衰するイメージディスプレイ。
【請求項２】
光透過ガイドアレイを有するイメージガイドを備え、光透過ガイドの入力端がイメージディスプレイ装置の画素からの光を受光するように配備され、光透過ガイドの出力端がイメージ出力面を提供する請求項１に記載のイメージディスプレイ。
【請求項３】
輝度補正手段が、イメージディスプレイ装置の表示面全体にわたって配備された光学的空間フィルタを備えた請求項１に記載のイメージディスプレイ。
【請求項４】
輝度補正手段が、イメージガイドのイメージ出力面にわたって配備された光学的空間フィルタを備えた請求項２に記載のイメージディスプレイ。
【請求項５】
輝度補正手段が、イメージガイドの入力端に配備された光学的空間フィルタを備えた請求項２に記載のイメージディスプレイ。
【請求項６】
各画素がディスプレイ要素の連続群を備え；
光学的空間フィルタが、少なくとも複数の画素に対応する群において、ディスプレイ要素のサブセットを見えなくするために配備されたマスキング要素を備えた請求項５に記載のイメージディスプレイ。
【請求項７】
光学的空間フィルタが透明基板保持マーキングを備え、基板上の空間的位置でのマーキングの密度及び／又は色調及び／又は彩度が前記空間的位置での所要程度の光減衰を提供する請求項５又は６のいずれかに記載のイメージディスプレイ。
【請求項８】
マーキングは画素からの光を部分的に見えなくするように配置され、見えなくなる量及び／又はマーキングの色調及び／又はマーキングの彩度は所要程度の減衰を提供する請求項７に記載のイメージディスプレイ。
【請求項９】
マーキングが色調のグレイである請求項７又は８のいずれかに記載のイメージディスプレイ。
【請求項１０】
各画素が、ｎ個の主要カラー要素の群を備える（ｎは少なくとも１）請求項８又は９のいずれかに記載のイメージディスプレイ。
【請求項１１】
主要カラー要素の群が赤色、緑色及び青色の照明を提供する請求項１０に記載のイメージディスプレイ。
【請求項１２】
マーキングが、画素内で各主要カラーに等しい減衰を提供するように構成されている請求項１０又は１１のいずれかに記載のイメージディスプレイ。
【請求項１３】
マーキングが、画素に対して色調補正を提供するように少なくともいくつかの画素内で各主要カラーに等しい減衰を提供するように構成されている請求項１０又は１１のいずれかに記載のイメージディスプレイ。
【請求項１４】
請求項１から１３のいずれか一項に記載の複数の境界を接するイメージディスプレイを有するイメージディスプレイシステムであって、各イメージディスプレイに対する輝度補正手段が、イメージディスプレイからイメージディスプレイまで、各画素が所定の入力電気駆動信号に対して同じ輝度を示すように構成されているイメージディスプレイシステム。
【請求項１５】
複数の電気駆動可能画素を有するイメージディスプレイ装置の出力に対して空間的輝度フィルタを付けるために輝度補正フィルタを製造する方法であって、空間的輝度フィルタは、各画素が所定の入力電気駆動信号に対して同じ輝度を示すように画素の輝度応答特性に対して反比例してイメージディスプレイ装置の各画素によって出力された光を減衰するものであって：
同一の電気駆動信号で全画素を駆動する段階と；
表示面で異なる空間位置で出力輝度を検出する段階と；
検出された輝度に反比例して光の減衰を有する光学的空間フィルタを生成する段階と；を備えた方法。
【請求項１６】
同一の電気駆動信号が最大輝度レベルに対応する請求項１５に記載の方法。
【請求項１７】
同一の電気駆動信号が最大輝度レベルではない非ゼロ輝度レベルに対応する請求項１５に記載の方法。
【請求項１８】
検出段階が、イメージディスプレイ装置の表示面を写真撮影することを含む請求項１５から１７のいずれか一項に記載の方法。
【発明の詳細な説明】
【技術分野】
【０００１】
本発明はディスプレイに関するものである。
【背景技術】
【０００２】
液晶ディスプレイやプラズマディスプレイ等のフラットパネルディスプレイの基礎となる技術は、単一ディスプレイをほぼ最新の国内のテレビのスクリーンサイズにまで経済的に製造できる段階にまで進展した。このレベルを超えた単一ユニットディスプレイのディスプレイサイズを増大すると、急激にコストを上げ、製造の歩留まりを下げ、他の大きな技術的な問題を生ずる。
【発明の開示】
【発明が解決しようとする課題】
【０００３】
従って、大きなディスプレイを提供するために、ハイブリッド技術を進歩させて、必要なサイズ全体に多数の小さめの矩形ディスプレイをモザイク式に並べてきた。例えば、画像情報を適当なサブディスプレイに送るための適当なアドレッシングエレクトロニクスを有する、２×２モザイク型アレイ15インチダイアゴナル（対角線）ディスプレイは30インチインチダイアゴナルディスプレイを提供する。
【０００４】
例として、米国特許出願第4 139 261号（ヒルサム）は、パネルディスプレイで生成されたイメージを拡大するために光ファイバのバンドルから成るウェッジ構造画像ガイドを用いて、これによって、拡大された画像を隣接させることによって、２つのパネルの境界（ボーダー）領域から成る２つの隣接パネル間のギャップが見えなくなるようにしている。これによって、個々のフラットパネル自体が電気的接続等を保持するためにそれらの周囲に小さな非表示境界を有していたとしても、ユーザーには実質的に連続する画像と見えることとなる。このようにして形成された他の画像ガイドは、一対の隣接パネル間に境界のない隣接を提供するように画像を変える。
【課題を解決するための手段】
【０００５】
本発明は：
表示面で見ることができる電気駆動画素のアレイを有するイメージディスプレイ装置と；
空間輝度フィルタをイメージディスプレイ装置に付けるようにイメージディスプレイ装置に対して配置された光輝度補正手段とを備え、空間輝度フィルタが、各画素が所定の電気駆動信号に対して実質的に同じ輝度を示すように、画素の輝度応答特性に対して実質的に反比例してイメージディスプレイ装置の各画素によって光の出力を減衰させるイメージディスプレイである。
【０００６】
本発明は、上のように定義された複数の隣接するイメージディスプレイを有するイメージディスプレイシステムであって、各イメージディスプレイに対する輝度補正手段は、イメージディスプレイからイメージディスプレイへ各画素が所定の入力電気駆動信号に対して実質的に同じ輝度を示すものも提供する。
【０００７】
本発明は、ディスプレイ特に、個々のパネルが実質的に連続したイメージを隣接させ提供するように配置されたものを含む多数パネル（タイル式）ディスプレイの欠点を認識し、扱っている。この欠点はディスプレイパネルにわたって輝度の固有の変動である。
【０００８】
表示されたイメージの表面全体に明度が一様であることが感知されるイメージの品質には非常に重要である。ディスプレイメーカーは、例えば、ディスプレイバックライトは液晶ディスプレイ全体にほぼ一様な輝度を提供することを保証するのに苦労する。単一ディスプレイパネルを有するシステムにおいて、決して不可能ではないがユーザーが目で変動（変化）を検出することは困難であるように、種々の公知の技術によって輝度の一様性を改善することができる。
【０００９】
しかしながら、タイル型（式）ディスプレイにおいて状況はかなり異なっている。輝度変動が２つの臨席するパネル間の境界で起こるとき、輝度変動はかなり見ることができ、主観的には邪魔なものになる。多くのやり方で、バックライト式パネルのエッジは明度の一様性を維持するのが最も困難な箇所である。というのも、パネルの端部で均一なバックライトを得ることが困難だからである。
【００１０】
本発明は、各パネルで一様な補正を行うことによって非常に簡単な方式でパネルからパネルへの輝度の非一様性の問題を扱っている。従って、本発明は多くのパネルから成るタイル式ディスプレイだけでなく個々のパネルにも応用可能である。
【００１１】
輝度補正手段はディスプレイの光学システムにおける実用的にいかなる場所（例えば、レンズ系内のバックライトの出力において）に配置された光学的空間フィルタであってもよいが、好適な実施形態においては、輝度補正手段はイメージディスプレイ装置（素子）の表示面全体にわたって配備された光学的（オプティカル）空間フィルタを備える。これには、輝度補正手段をディスプレイのコンポーネント部分を邪魔することなく、ディスプレイの設置後に設置、変更又は置き換えることができるという利点を有する。しかしながら、輝度補正手段はフロントディスプレイスクリーンの周囲（周辺）反射率の空間的変動を生じさせないことを保証するので非常に好ましい。他の好適な実施形態では、各画素はディスプレイ要素の実質的に隣接する群を備える：輝度補正手段は、少なくともいくつかの画素に対応する群においてディスプレイ要素のサブセットを覆い隠すように配備されたマスキング要素を備える。
【００１２】
本発明は、各画素が赤、緑及び青の輝度（イルミネーション）を提供する主要カラー要素の群を備えたイメージディスプレイに特に応用できる。
【００１３】
光透過ガイドのアレイを有するイメージガイドを用いるイメージディスプレイの場合、光透過ガイドの入力エンドはイメージディスプレイ装置からの光を受光するように配置され、光透過ガイドの出力エンドはイメージ出力面を提供するものであり、この場合、輝度補正手段は光透過ガイドの入力エンドに配備された光学的空間フィルタを備えることが好ましい。これには、光ガイドがその入力で示した光を均一化する傾向があるという利点があり、これによって、（輝度制御の所望の効果からは離れている）輝度補正手段の効果は、見ている者には見えにくいだろう。
【００１４】
光学的空間フィルタは実質的に透明な基板保持マーキングを備え、基板上の空間位置でのマーキングの密度及び／又は色合い（色調）及び／又は彩度はそれらの空間位置での所望程度の光学的減衰を示す。一の実施形態では、マーキングは画素からの光を部分的に覆い隠すように配置され、マーキングの覆い隠しの量及び／又は色合い、及び／又はマーキングの彩度は所望程度の減衰を示す。これには、所望程度の精度及び解像度で、空間的詳細さ又はグレイスケールのいずれかだけを用いることによってより、基板上で高解像度の空間的詳細さ及び高解像度のグレイスケールをプリントことの方が容易であるという利点がある。所望程度の減衰が部分的に光を覆い隠すマーキングを用いることによってさらに精確に得ることができる。
【００１５】
画素で生成された色合い上の望まない効果を避けるために輝度だけが補正を要するとき、マーキングは色合いにおいてグレイであり、赤、緑及び青の画素の等しい程度の空間的な覆い隠しを提供するのが好ましい。
【００１６】
色合い及び輝度の補正が必要な場合は、マーキングは色合いにおいてグレイであるが、赤、緑及び青の画素の不均等なレベルの覆い隠しをするのが好ましい。
【００１７】
本発明はまた、空間輝度フィルタを複数の電気的に駆動可能な画素を有するイメージディスプレイ装置の出力に付ける光学的輝度補正フィルタを製造する方法を提供する。ここで、空間輝度フィルタは、画素の輝度応答特性に対して実質的に反比例するイメージディスプレイ装置の各画素によって光出力を減衰し、これによって、各画素は所定の入力電気駆動信号に対して実質的に同じ輝度を示すものである。この方法は：
同一の電気駆動信号で全画素を駆動する段階と；
表示面の異なる空間位置で出力輝度を検出する段階と；
検出された輝度に対して反比例する光学的減衰を有する光学的空間フィルタを生成する段階と；を備える。
【００１８】
同一電気駆動信号が実質的にフル（最大）の輝度レベルに対応する電気駆動信号であるのが好ましい。これは、画素間の最大の変動及びそれによってより精確に生成された補正フィルタを与えることができる。
【００１９】
場合によっては、ディスプレイにおいて、一の入力電気信号（例えば、最大輝度レベル）でアドレスするときは一様な輝度を有するが、他の輝度レベルでは空間的に非一様を示すことが可能である。この事象では、光学的空間フィルタを用いることによって、全グレイレベルで一様な輝度を保障することは不可能である。しかしながら、中間輝度レベルでの空間的輝度変動に反比例する光学的減衰を有する光学的空間フィルタを生成することは好ましい。輝度補正手段が電気信号処理装置である場合に、全輝度レベルでの満足できる輝度補正が可能である。
【００２０】
使用を容易にするためには、検出段階はイメージディスプレイ装置の表示面を撮影すること（デジタルの又はフィルムの媒体を用いて）を備えるのが好ましい。
【発明を実施するための最良の形態】
【００２１】
本発明の他の側面及び特徴は特許請求の範囲で規定している。従属請求項から得られる特徴は適切にかつ請求項に単に明示されているようにだけでない独立請求項の特徴と組み合わされる。
【００２２】
本発明の実施形態について図面を参照して、単に例示として以下に記載する。
【００２３】
アレイは、水平方向に４個のディスプレイパネルと垂直方向に３個のディスプレイパネルとを備える。各ディスプレイパネルは発光表面１０とイメージガイド２０とを備える。  
【００２４】
発光表面１０はそれぞれ複数の画素又はピクチャーエレメントとして配置される。実際、これらには例えば、バックライトアレンジメント、フォーカシング、コリメーティング、及び／又は均一化（ホモジナイジング）オプティクス及び液晶パネル等を含むが、この多くは図の簡明さのために削除されている。
【００２５】
発光パネルのそれぞれは、表示される全イメージの部分を表示する。その部分は互いにぴったりくっついた配置で隣接する部分を表す。しかしながら、発光面１０のエッジの周りでの電気的接続及び物理的支持を行う必要性のために、これらはその間にダークバンド（暗い帯）又は“ブラックマトリックス”を残すことなく、直接、境を接することはできない。それで、光ガイド２０を用いて、各発光面１０からのイメージのサイズを増大し、これによって、光ガイド２０の出力面が境を接して連続した視野（ビューイング）面を形成することができる。
【００２６】
この配置、すなわち、図１のアレイの同じ大きさの概略正面図を図２に示す。ここで、光ガイド２０の出力面は、連続した視野（ビューイング、表示）面３０を形成するように境を接する。
【００２７】
図３は、コリメート光源４０、ホモゲナイザー５０、液晶パネル６０及び光ガイド７０を備えたディスプレイの概略側面図である。
【００２８】
コリメート光源４０とホモゲナイザー５０とを非常に概略的に示すが、これ自体は従来技術の一部である。概略的に示した特別な “ホモゲナイザー”はいわゆる“ハエの目”型のレンズを含み、液晶パネル６０で必要とされたバックライトを提供する。
【００２９】
液晶パネル６０は、白又は他の可視カラーバックライトを用いる種類のものであって、液晶の画素を提供してそのディスプレイ用のバックライトを変調（調節）する。代替として、液晶パネル６０は、紫外線バックライトを使用する光輝性（フォトルミネッセント）パネルであって、蛍光体アレイ上の紫外光を変調してディスプレイ用の可視光を発生する。もちろん、有機発光ダイオードアレイのような多くの他の種類の発光面１０を用いてもよい。
【００３０】
イメージガイド７０は、光透過ガイド８０のアレイを備え、ここで、各光透過ガイドは、液晶パネル６０上の特定の領域からの光を出力面９０上の対応する特定領域に導くものである。そうする際に、光透過ガイドは、出力面９０上をカバーする領域が液晶パネル６０上のイメージディスプレイ領域より物理的に大きくなるように発散するように構成される。上述のように、これによって、図３に示したようなディスプレイアレイは、表示（ビューイング）面での見えないブラックマトリックスなく境を接することを可能とする。
【００３１】
図４は、光透過ガイド８０の概略側面図である。図示したような光透過ガイド８０はクラッディング材料（空気でも）によって囲繞される内部コアを有する光ファイバーと機能的に同様であり、光ファイバー内で全反射するように、コア及びクラッディングは適当な屈折率を有する。代替として、ガイド８０は反射内面を有する中空管の形であってもよく、これによって、ガイド内の光は、光がガイドに沿って進むときに多重スペクトル反射する。他の代替としては、ガイドはガラス若しくはプラスチック材料のような固体透明材料の形であり得るが、反射性の外面又は例えば銀若しくはアルミニウムのような金属コーティングのようなコーティングを有する。さらに、これは、光がガイドに沿って進むときに多重内部スペクトル反射につながる。
【００３２】
動作の際に、バックライト４０及びホモジェナイザー５０からの光は、ガイド８０に入っていく前にディスプレイパネル６０の画素を通過していく。光はガイドに沿って進み、その出力９０へ向かう。図においては、これは図の左から右へ進むように示した。ガイドの出力端は表示面を形成し、拡散器（ディフューザ）パネル１００によって覆われてもよい。
【００３３】
図５ａから図５ｅは、ディスプレイ全体の輝度レベルの光学的補正の技術を概略的に示している。
【００３４】
図５ａは、図３を縮小サイズの図に基づいている。しかしながら、これは、ディスプレイ上の均一な（又は、少なくともより均一な）輝度を提供するように、個別に又は一緒に使用できる種々の特徴要素を含む。特に、図５ｂは、ホモジェナイザー５０とディスプレイパネル６０との間、ディスプレイ６０とイメージガイド７０との間、又は、イメージガイド７０の表示面９０に、配置され得るマスクフィルター１１０を図示している。図５ａでは、スクリーンはホモジェナイザーとディスプレイパネルとの間に図示している。これは、ディスプレイパネルをイメージガイド７０に結合する際に邪魔にならないので、製造の観点からそれを置くのに最も便利な場所であると認識され、また、それが出力表示面９０に置いてあるかのようにそれ自体がユーザーに見ることができないので、審美的観点からも最も便利な場所であると認識される。
【００３５】
スクリーン１１０は印刷され、又は、ディスプレイの輝度の応答がより速いディスプレイの領域においてマーキングがより減衰するように、グレイスケール又は他のマーキングでマーキングされる。典型的には、輝度応答はディスプレイの中心に向かってより高く、そのため、図５ｂにおける図は、スクリーン１１０の中心に向かってより暗く又はより濃度濃く示されている。同様に、より低い輝度応答についての通常の場所はディスプレイの周縁に向かったおり、そのため、図５ｂに示された図示例はスクリーン１１０のエッジへ向かってより濃度が薄く又はより軽いマーキングを有する。
【００３６】
実際、輝度応答は一つのディスプレイだけでより均一に作製されれば、スクリーン１１０は、（補正前の）輝度応答が最も低いディスプレイ上の点においてできるだけ減衰が小さく与えるように構成される。しかしながら、輝度応答が境を接するディスプレイアレイ全体にわたってより均一に作製されるならば、ディスプレイの少なくともいくつかの応答全体は最低応答ディスプレイのレベルまで減衰することが必要である。その場合には、スクリーン１１０の中には全領域にわたって減衰してもよい。
【００３７】
図５ｃから図５ｅは、ディスプレイ６０の選択領域を減衰するために使用できる他の手段を概略図示している。特に、図５ｃから図５ｅは、入力を単一の入力ガイド８０へ形成する画素のサブアレイの出力を減衰する技術を図示している。
【００３８】
図５ｃから図５ｅには、入力を単一の光ガイド８０に形作る４×４画素群のサブアレイ（及び、従って、表示面９０で表示する単一の“出力”画素を示す）を示す。各画素群は、赤色画素Ｒ，緑色画素Ｇ及び青色画素Ｂを備える。入力を一の光ガイド８０に形づくるサブアレイ全体において、３６個の画素を有し、ここで、赤色画素、緑色画素及び青色画素がそれぞれ１２個づつである。
【００３９】
図５ｃは、画素群の周りに配置した暗くされた境界１２０を示している。境界の幅ｗは、供給される減衰を画素のアレイに対して変化させるために変化してもよい。しかしながら、色調補正を特に必要としないならば、異なる主要カラーの画素との間のバランスを乱すのを避けるためにこれを行うことに留意されたい。このことは、図５ｃにおいて、適所に境界１２０を置いて、光が光ガイド８０の入力へと伝搬するのに寄与する緑色Ｇ（画素）が優位である。色調補正が必要ないならば、境界の幅ｗが３つの主要カラー（三原色）のそれぞれが等しく減衰するように構成されるのが好ましい。境界１２０の密度又はグレイ（濃淡）レベルが所要の全減衰を与えるように調整されてもよい。
【００４０】
輝度補正と共に色調補正を提供する必要があれば、等しくない減衰量をサブアレイ内の異なる主要カラーに提供することができる。同様に、グレイスケールを印刷することは正確な減衰を得るという利点を有するが、それが特別な応用において必要とされるならば、異なる色調の減衰マーキングを使用することが可能である。例えば、単一のカラーディスプレイにおいて、ディスプレイカラーに対して補完的なカラーのマーキングを使用することが所望される。
【００４１】
赤色、緑色及び青色以外の色を使用することができることは評価されるべきである。“主要カラー”との語は、“出力画素”の出力すなわち、対応する光透過ガイドの出力に対する寄与するサブアレイにおけるカラーセットを単に示すために用いているに過ぎない。
【００４２】
図５ｄ及び図５ｅは、光ガイド８０の入力に入る光を減衰するために、同様な構成であるが、暗いストライプ１２２，１２４を用いた場合を図示する。ストライプは、３個の主要カラー画素を等しく覆うように配備されている。ストライプの幅ｘ及び密度若しくはグレイレベルは、所望程度の減衰を提供するように設定されてもよい。
【００４３】
図６及び図７は、図５ｃの構成をより詳細に図示するものである。特に、図６は画素の個々のアレイ１３０であって各アレイ１３０が単一の光ガイド８０を供給するところのアレイ１３０が暗い境界１２０によって分離されたディスプレイパネルの一部の例を示すものである。図６において、境界１２０は均一な幅を有する。しかしながら、輝度レベル制御のためには、幅は図７に示したように変化する。ここで、ディスプレイの中心に向かってより減衰する（図７では下部左コーナーに図示している）。
【００４４】
上述の実施形態では、目的は、タイル式もしくはモザイク式配置において単一のディスプレイ全体又はディスプレイ間でより均一な輝度応答を得ることである。これを実現するために、輝度補正手段（いずれの実施形態が使用されようとも）が、ディスプレイ又は各ディスプレイの輝度応答に実質的に反比例する補正を適用することが適当である。
【００４５】
ディスプレイの輝度応答を検知する種々の方法がある。例えば、ディスプレイは特別の輝度レベル（例えば、全輝度で白）を示す電気信号を用いて駆動され、光検出器はステッピングモーターを用いてディスプレイの面全体をトラッキングする。光検出器と関連する制御装置は、ディスプレイの各空間位置で輝度レベルを記録する。空間解像度は光検出器のサイズに依存する。
【００４６】
しかしながら、好適な簡単な実施形態では、ディスプレイは適当な輝度レベルで駆動され、適当に暗くされた環境で写真撮影される。写真がデジタルカメラを用いれば、得られた像（イメージ）の画素情報は、上述の実施形態用の補正情報を与えるために比較的簡単な処理だけが必要となる。
【００４７】
ディスプレイの輝度応答が非線形（すなわち、コントラスト比が変わる）ならば、上述のプロセスは、半分若しくは2/3の輝度のような適当な中間的な輝度レベルで実施して、輝度レベルの全範囲にわたってのリーズナブルな補正を得ることができる。
【００４８】
タイル型配置のディスプレイ間に均一な輝度応答を得ることが必要ならば、例えばディスプレイからディスプレイまでの同一な電気駆動信号を用いて上述の測定プロセスを各ディスプレイにおいて実施する。各点で適用される補正因子はＬ／ｐとして導かれる（Ｌはディスプレイ群にわたっての最低測定輝度レベルであり、ｐは補正される前記点での記録されたレベルである）。
【図面の簡単な説明】
【００４９】
【図１】ディスプレイパネルのタイル式アレイの概略等角裏面図である。
【図２】図１のアレイの概略等角正面図である。
【図３】光源、ホモジナイザー、ディスプレイパネル及びイメージガイドを備えたディスプレイの概略側面図である。
【図４】光透過ガイドの概略側面図である。
【図５Ａ】ディスプレイにおける輝度レベルの光補正のための概略説明図である。
【図５Ｂ】ディスプレイにおける輝度レベルの光補正のための概略説明図である。
【図５Ｃ】ディスプレイにおける輝度レベルの光補正のための概略説明図である。
【図５Ｄ】ディスプレイにおける輝度レベルの光補正のための概略説明図である。
【図５Ｅ】ディスプレイにおける輝度レベルの光補正のための概略説明図である。
【図６】図５ｃの構成の詳細図である。
【図７】図５ｃの構成の詳細図である。
【符号の説明】
【００５０】
１０  発光面
２０  イメージガイド
６０  電気駆動画素アレイ
７０  イメージガイド
８０  光透過ガイド
９０  表示面
１１０  輝度補正手段
１２２，１２４  空間的輝度フィルタ
【図１】
2005517209.tif 000003
【図２】
2005517209.tif 000004
【図３】
2005517209.tif 000005
【図４】
2005517209.tif 000006
【図５ａ】
2005517209.tif 000007
【図５ｂ】
2005517209.tif 000008
【図５ｃ】
2005517209.tif 000009
【図５ｄ】
2005517209.tif 000010
【図５ｅ】
2005517209.tif 000011
【図６】
2005517209.tif 000012
【図７】
2005517209.tif 000013
【国際調査報告】
2005517209.tif 000014
2005517209.tif 000015
2005517209.tif 000016